(57)【特許請求の範囲】
【請求項１】
複数の端子収容溝を開設したベースと、ベースに摺動可能に据え付けられたカバーと、ベースとカバーとを連結するようにギア及びラックとを含む駆動装置と、を含む電気コネクタにおいて、
前記カバーにＵ字形状のラックを収容するための開口が形成され、前記ベースに前記開口に対応する穴が形成され、
前記Ｕ字形状のラックは、前記開口に位置するラック部と、前記カバーにインサート成型される両アーム部とを有し、
前記ギアは前記ラック部に噛合っているギア部と、ギアを前記ベースの穴に係合させるための接合部とを含み、
前記ギア部を前記ラック部に噛合わせ、前記ギアを回転させることにより前記カバーを前記ベースに対して摺動にさせることを特徴とする電気コネクタ。
【請求項２】
前記穴の縁部には、前記ギアとベースとの摩擦による結合を防止するワッシャが配置されることを特徴とする請求項１記載の電気コネクタ。
【請求項３】
前記駆動装置は、前記ギアにリベット締めをするように前記ベースの底面に配置される金属片も含むことを特徴とする請求項２記載の電気コネクタ。
【請求項４】
複数の端子収容溝を開設したベースと、ベースに摺動可能に据え付けられたカバーと、ベースとカバーとを連結するようにギア及びラックとを含む駆動装置と、を含む電気コネクタにおいて、
前記ベースにＵ字形状のラックを収容するための穴が形成され、前記カバーに前記穴に対応する開口が形成され、
前記Ｕ字形状のラックは、前記穴に位置するラック部と、前記ベースにインサート成型される両アーム部とを有し、
前記ギアは前記ラック部に噛合っているギア部と、ギアを前記カバーの開口に係合させるための接合部とを含み、
前記ギア部を前記ラック部に噛合わせ、前記ギアを回転させることにより前記ベースを前記カバーに対して摺動させることを特徴とする電気コネクタ。
【請求項５】
前記開口の縁部には、前記ギアとカバーとの摩擦による結合を防止するワッシャが配置されることを特徴とする請求項４記載の電気コネクタ。
【請求項６】
前記駆動装置は、前記ギアにリベット締めをするように前記ベースの底面に配置される金属片も含むことを特徴とする請求項５記載の電気コネクタ。
【発明の詳細な説明】
【０００１】
【産業上の利用分野】
本発明は、一種の電気コネクタに関し、特に電気コネクタを駆動してＣＰＵのピンを係止させる駆動装置を有する中央処理装置（ＣＰＵ）コネクタに関するものである。
【０００２】
【従来の技術】
図７と図８を参照するように、ＣＰＵを回路基板（ＰＣＢ）に電気接続させる従来のＣＰＵコネクタ６を開示し、該コネクタ６はハウジング７、カバー８及び駆動装置９を有する。前記カバー８は、複数の孔部を具え、且つハウジング７上に摺動可能に設けられ、前記駆動装置９は、前記カバー８を駆動してハウジング７上に摺動することができる。
【０００３】
前記駆動装置９は、カム９１と金属片９２を含む。前記カム９１はピボット９３を有し、該ピボット９３は金属片９２に開設された孔部９２１を貫通してから金属片に固定される。カム９１が回転された場合、カバー８はハウジング７上に摺動することにより、ＣＰＵをＰＣＢに電気接続することができる。
【０００４】
【発明が解決しようとする課題】
しかし、前記のＣＰＵコネクタ駆動装置９は、カム９１の固有的な構造に制限されているので、相対的に制御し難く、またカム９１の回転は不規則で、且つ回転角度は、精確に制御することができないため、カバー８に対するアイドルストローク、または過動作などによる異常現象が時折に生じてくる。
【０００５】
それゆえに、一種改良した駆動装置は、前記電気ＣＰＵコネクタの駆動装置９の欠点を克服するべきものである。
【０００６】
従って、本発明は、主に一種電気コネクタを提供し、特に精確的にコネクタを駆動してＣＰＵのピンと接続し得る駆動装置を有する電気コネクタを提供することを目的とする。
【０００７】
【課題を解決するための手段】
前記の目的に鑑み、本発明のより好ましい具体例である電気コネクタは、ベースとカバーを含む。該ベースに複数の開口を開設し、該カバーはベースと摺動可能に接続される。ギアおよびラックにより前記ベースと前記カバーとを接続する。前記ラックはカバー内に位置し、ギアが前記ベースに支持され、且つギアが回転することによって、ラックを駆動して、カバーをベースの上に摺動可能にする。ギアの回転は規則的で、回転角度も精確に制御できるので、駆動プロセスが正確に行え、異常現象が防止できる。
【０００８】
図面を参照しながら、下記本発明の実施例により、その特徴、又は新規性がより明らかにされるものである。
【０００９】
【実施例】
図１を参照するように、本発明の電気コネクタ１は、ベース２と、このベース２に摺動可能に接触するカバー３と、このカバー３を前記ベース２に沿いながら摺動する駆動装置４とを含む。前記ベース２は、対応した端子（図示せず）を固定するための複数の端子収納溝が設けられる。基板２２はベース２に設置するとともに、穴２２１を有する。ワッシャ２２２は穴２２１の縁部に設けられ、ベース２の底面２２３にラグ２２４が設けられる。
【００１０】
前記カバー３は、ＣＰＵのピン（図示せず）を収納する複数のスルーホール３１を備える。カバー３に設けられたカバー平台３２には、基板２２の穴２２１に対応する位置に、開口３２１を開設する。
【００１１】
図１、図２および図３を参照するように、駆動装置４はギア４１、ラック４２及び金属片４３を含む。該ギア４１は、ギア部４４１、ブレース部４１２、接合部４１３、ピボット部４１４及びピボット部４１４の上にあるヘッダー４１５を具える。該ラック４２はＵ字形を呈し、両アーム部４２１とラック部４２２を有する。該金属片４３はスルーホール４３１が開設される。
【００１２】
図４と図５を参照するように、カバー３はベース２上に摺動可能に据え付けられる。ラック４２はカバー平台３２の開口３２１に嵌着され、両アーム部４２１はカバー３にインサート成形される。ギア４１は、開口３２１に位置されたギア部４１１およびブレース部４１２、また穴２２１に位置された接合部４１３およびピボット部４１４により、開口３２１と穴２２１とを締め付けることになる。ワッシャ２２２は、ギアのブレース部４１２の下に位置し、ギア４１とベース２とを係止することにより生じる摩擦を回避するために用いられる。またヘッダー４１５は金属片４３のスルーホール４３１に貫通して、前記ピボット４１４が金属片４３にリベット締めされることによって、ギア４１と金属片４３とを一体に固く締め付けるため、カバー３、ベース２及び駆動装置４を組み合わせるようになる。駆動する際に、ギア４１のギア部４１１が回転され、ラック４２のラック部４２２とを噛合せて、カバー３を駆動しベース２の上に摺動することができる。ギア４１の回転は規則的で、且つ回転角度も精確に制御できるので、駆動プロセスが簡易で、しかも精確に行えるものである。
【００１３】
図６に本発明の他の実施例を開示するように、ギア４１’は電気コネクタ１’のカバー３’にねじ締められ、またラック４２’は電気コネクタ１’のベース２’にインサート形成される。そして、ベース底面に配置される金属片４３’はスルーホール４３１’を有し、該スルーホールにギアをリベット締めすることにより、ギア４１’と、ラック４２’と、金属片４３’とを一体に組み合わせることになる。駆動プロセスにおいて、ギア４１’のギア部４１１’はラック４２’のラック部４２２’に噛合せられるので、前記構造により、駆動プロセスが精確に行えるものである。
【００１４】
前記を総じて、本発明は特許登録の要件を十分に備えているため、法により特許を登録すべきものである。また、前記は単なる本発明によりなされた具体的実施例にすぎず、本発明の請求範囲を限定するものではなく、本発明に基づきなしうる細部の修飾或いは変更など、いずれも本発明の請求範囲に属するものとする。
【図面の簡単な説明】
【図１】本発明の電気コネクタの立体分解図。
【図２】図１に示す電気コネクタのギアの立体図。
【図３】図１に示す電気コネクタのラックの立体図。
【図４】図１に示す電気コネクタの立体組合わせ図。
【図５】図４に示す電気コネクタのＶ−Ｖ線の断面図。
【図６】本発明の電気コネクタの他の立体分解図。
【図７】本発明に係る従来の電気コネクタの立体組合わせ図。
【図８】図７に示す電気コネクタのＶＩＩＩ−ＶＩＩＩ線の断面図。
【符号の説明】
１、１’、６  ＣＰＵコネクタ
２、２’  ベース
２１  端子収納溝
２２  基板
２２１  穴
２２１’  穴
２２２、２２２’  ワッシャ
２２３  底面
２２４  ラグ
３、３’、８  カバー
３１、４３１、４３１’  スルーホール
３２  カバー平台
３２１、３２１’  開口
４、９  駆動装置
４１、４１’  ギア
４１１、４１１’  ギア部
４１２  ブレース部
４１３  接合部
４１４、９３  ピボット
４１５  ヘッダー
４２、４２’  ラック
４２１  アーム部
４２２、４２２’  ラック部
４３、４３’、９２  金属片
７  ハウジング
９１  カム
９２１  ホール
【図１】
0004579481.tif 000002
【図２】
0004579481.tif 000003
【図３】
0004579481.tif 000004
【図４】
0004579481.tif 000005
【図５】
0004579481.tif 000006
【図６】
0004579481.tif 000007
【図７】
0004579481.tif 000008
【図８】
0004579481.tif 000009